(57)【要約】  多量の尿吸収ができる尿吸収シートの能力を十分に発揮できるペット用トイレを得る。  尿吸収シートを載置する底部９を有する受皿本体３と、受皿本体３の上方を覆うように着脱可能に設置される網状蓋体５とを備え、網状蓋体５は網状部１９と網状部１９の周囲に網状部１９と一体的に形成された枠部２１とを有し、受皿本体３は網状蓋体５の枠部２１を支持する支持部を有し、受皿本体３に網状蓋体５を装着した状態で受皿本体３の底部上面と網状蓋体５の網状部下面との隙間が尿吸収時に尿吸収シートの表面が網状部１９の上面に出ない寸法に設定されている。
2007094029.tif 000002
【特許請求の範囲】
【請求項１】
尿吸収シートを載置する底部を有する受皿本体と、該受皿本体の底面上方を覆うように着脱可能に設置される網状蓋体とを備え、該網状蓋体は網状部と該網状部の周囲に該網状部と一体的に形成された蓋体枠部とを有し、前記受皿本体は前記蓋体枠部を支持する支持部を有し、前記受皿本体に前記網状蓋体を装着した状態で前記受皿本体の底部上面と前記網状蓋体の網状部下面との隙間が、尿吸収時に尿吸収シート表面が前記網状部の上面に出ない寸法に設定されていることを特徴とするペット用トイレ。
【請求項２】
蓋体枠部は断面略逆Ｕ字状、Ｌ字状またはコ字状に形成されていることを特徴とする請求項１に記載のペット用トイレ。
【請求項３】
受皿本体の支持部と網状蓋体の蓋体枠部との間に、係止構造が設けられており、受皿本体に網状蓋体を装着したときに両者が自動的に係止されることを特徴とする請求項１または２に記載のペット用トイレ。
【請求項４】
係止構造は、受皿本体の支持部に設けられた係止用凸部と、網状蓋体の枠部に設けられて前記係止用凸部に係止する係止穴とを備えてなるか、または網状蓋体の枠部に設けられた係止用凸部と、受皿本体の支持部に設けられて前記係止用凸部に係止する係止穴とを備えてなることを特徴とする請求項３に記載のペット用トイレ。
【請求項５】
受皿本体の底部の周縁部に溝部を設けると共に網状蓋体の蓋体枠部の内周に垂下片を設け、網状蓋体を受皿本体に設置した状態で前記溝部内に前記垂下片が挿入されることを特徴とする請求項１〜４の何れか一項に記載のペット用トイレ。
【請求項６】
網状蓋体における網状部の上面と蓋体枠部とが略同一平面上に形成されており、受皿本体における床設置面から網状蓋体の上面までの高さが、小型犬又は幼犬が登ることができる高さに設定されていることを特徴とする請求項１〜５の何れか一項に記載のペット用トイレ。
【請求項７】
受皿本体の支持部は受皿本体の本体枠部からなり、網状蓋体の蓋体枠部は断面が略逆Ｕ字状に形成され、前記網状蓋体を前記受皿本体に設置した状態において前記枠部が前記受皿本体の本体枠部全体を覆うようになっていることを特徴とする請求項１〜６のいずれか一項に記載のペット用トイレ。
【請求項８】
受皿本体の縁部から網状蓋体よりも上方に立ち上がる側壁が設けられていることを特徴とする請求項１〜６の何れか一項に記載のペット用トイレ。
【請求項９】
尿吸収シートを載置する底部を有する受皿本体と、該受皿本体の底面上方を覆うように着脱可能に設置される網状蓋体とを備え、該網状蓋体は網状部と該網状部の周囲に該網状部と一体的に形成された蓋体枠部と、前記網状部の下面に垂下される隙間保持片とを有し、前記受皿本体は前記網状蓋体の蓋体枠部を支持する支持部を有し、前記蓋体枠部を前記支持部に装着したときに前記隙間保持片の下端と受皿本体の底部上面との間に、未使用の尿吸収シートの厚さと同程度の隙間が形成されること特徴とするペット用トイレ。
【発明の詳細な説明】
【技術分野】
【０００１】
本発明は、底部に尿吸収シートを載置する受皿本体と、該受皿本体の底部上方を覆うように着脱可能に設置される網状蓋体とを備えたペット用トイレに関する。
【背景技術】
【０００２】
従来のペット用トイレの一例として、尿吸収シートの上面側をカバーする格子状の網目を有する網状シートを備えた犬用トイレであって、支持基盤の上面に尿吸収シートを載置し、尿吸収シートを網状シートで上方から押さえるように設置するものが提案されている（特許文献等１参照）。【０００３】
また、従来のペット用トイレの他の例として、受皿状トレー本体と、該トレー本体の周縁部に沿って着脱自在に取り付けられる枠体を備え、該枠体が上記トレー本体に載置されるシート体を押圧して位置ずれを防止するための押圧部を有し、該押圧部の上面に多数の貫通孔が形成された通気通水自在な受板を着脱自在として付設し、該受板の下面に、複数個のシート体押え用支持短脚が略同一高さになるように設定したペット用トレーが提案されている（特許文献等２参照）。
【特許文献１】特開２００５−２８７３６７号公報
【特許文献２】実用新案登録第３１１０９６６号公報
【発明の開示】
【発明が解決しようとする課題】
【０００４】
尿吸収シートの交換回数を少なくするという近年の要請に応えるべく、尿吸収シートの開発が進み、尿を多量に吸収することができるものが開発されている。このような、多量に尿を吸収できる尿吸収シートは尿の吸収に伴い大きく膨張する。
そのため、特許文献１に記載されたもののように、支持基盤の上面に尿吸収シートを載置し、尿吸収シートを網状シートで上方から押さえる構造では、尿吸収シートが膨らむことができず尿吸収シートの尿吸収能力を発揮させることができない。【０００５】
また、特許文献２に記載のものにおいても、受皿状トレー本体と多数の貫通孔が形成された通気通水自在な受板との間には隙間が設けられているものの、具体的にどの程度の隙間があるかは明らかでなく、尿吸収シートの尿吸収能力を発揮させることができない。
また、特許文献２に記載のものは、上記受板とその枠体とが別体であり、受板の剛性が不十分であると推察され、そのため受板を縦横に仕切る支持短脚が必要となっており、この支持短脚が尿吸収シートを押さえつけるため、尿吸収シートの膨張が妨げられ、この意味でも尿吸収シートの尿吸収能力を発揮させることができない。
さらに、受板とその枠体とが別体であるため、受板と枠体との隙間に尿が入り込み悪臭の原因になるという問題もある。【０００６】
以上のように、従来のペット用トイレは近年開発の進んでいる多量の尿吸収ができる尿吸収シートの能力を十分に発揮できるようなものではない。【０００７】
本発明はかかる課題を解決するためになされたものであり、多量の尿吸収ができる尿吸収シートの能力を十分に発揮できるペット用トイレを得ることを目的としている。
【課題を解決するための手段】
【０００８】
（１）本発明に係るペット用トイレは、尿吸収シートを載置する底部を有する受皿本体と、該受皿本体の底面上方を覆うように着脱可能に設置される網状蓋体とを備え、該網状蓋体は網状部と該網状部の周囲に該網状部と一体的に形成された蓋体枠部とを有し、前記受皿本体は前記蓋体枠部を支持する支持部を有し、前記受皿本体に前記網状蓋体を装着した状態で前記受皿本体の底部上面と前記網状蓋体の網状部下面との隙間が、尿吸収時に尿吸収シート表面が前記網状部の上面に出ない寸法に設定されていることを特徴とするものである。
なお、網状部は、円形、六角形等の種々の形状の貫通孔のものを用いることができる。【０００９】
（２）また、上記（１）に記載のものにおいて、蓋体枠部は断面略逆Ｕ字状、Ｌ字状またはコ字状に形成されていることを特徴とするものである。【００１０】
（３）また、上記（１）または（２）に記載のものにおいて、受皿本体の支持部と網状蓋体の蓋体枠部との間に、係止構造が設けられており、受皿本体に網状蓋体を装着したときに両者が自動的に係止されることを特徴とするものである。【００１１】
（４）また、上記（３）に記載のものにおいて、係止構造は、受皿本体の支持部に設けられた係止用凸部と、網状蓋体の枠部に設けられて前記係止用凸部に係止する係止穴とを備えてなるか、または網状蓋体の枠部に設けられた係止用凸部と、受皿本体の支持部に設けられて前記係止用凸部に係止する係止穴とを備えてなることを特徴とするものである。【００１２】
（５）また、上記（１）〜（４）の何れかに記載のものにおいて、受皿本体の底部の周縁部に溝部を設けると共に網状蓋体の蓋体枠部の内周に垂下片を設け、網状蓋体を受皿本体に設置した状態で前記溝部内に前記垂下片が挿入されることを特徴とするものである。【００１３】
（６）また、上記（１）〜（５）の何れかに記載のものにおいて、網状蓋体における網状部の上面と蓋体枠部とが略同一平面上に形成されており、受皿本体における床設置面から網状蓋体の上面までの高さが、小型犬又は幼犬が登ることができる高さに設定されていることを特徴とするものである。【００１４】
（７）また、上記（１）〜（６）の何れかに記載のものにおいて、受皿本体の支持部は受皿本体の本体枠部からなり、網状蓋体の蓋体枠部は断面が略逆Ｕ字状に形成され、前記網状蓋体を前記受皿本体に設置した状態において前記枠部が前記受皿本体の本体枠部全体を覆うようになっていることを特徴とするものである。【００１５】
（８）また、上記（１）〜（６）の何れかに記載のものにおいて、受皿本体の縁部から網状蓋体よりも上方に立ち上がる側壁が設けられていることを特徴とするものである。【００１６】
（９）また、本発明に係るペット用トイレは、尿吸収シートを載置する底部を有する受皿本体と、該受皿本体の底面上方を覆うように着脱可能に設置される網状蓋体とを備え、該網状蓋体は網状部と該網状部の周囲に該網状部と一体的に形成された蓋体枠部と、前記網状部の下面に垂下される隙間保持片とを有し、前記受皿本体は前記網状蓋体の蓋体枠部を支持する支持部を有し、前記蓋体枠部を前記支持部に装着したときに前記隙間保持片の下端と受皿本体の底部上面との間に、未使用の尿吸収シートの厚さと同程度の隙間が形成されること特徴とするものである。
【発明の効果】
【００１７】
本発明においては、網状蓋体が網状部と一体的に形成された枠部を有し、受皿本体に前記網状蓋体を設置した状態で前記受皿本体の上面と網状蓋体の下面との隙間が、尿吸収時に尿吸収シート表面が前記網状部の上面に出ない寸法に設定されているので、尿吸収シートが尿を吸収して膨張することができ、尿吸収シートの能力を十分に発揮させることができる。
【図面の簡単な説明】
【００１８】
【図１】本発明の一実施の形態に係るペット用トイレの平面図である。
【図２】本発明の一実施の形態に係るペット用トイレの正面図である。
【図３】図１における矢視Ａ−Ａ断面図である。
【図４】図３のＢ部を拡大して示す拡大図である。
【図５】本発明の一実施の形態に係るペット用トイレを構成する受皿本体の斜視図である。
【図６】本発明の一実施の形態に係るペット用トイレを構成する網状蓋体を裏面側から見た斜視図である。
【図７】本発明の他の実施の形態に係るペット用トイレの全体斜視図である。
【図８】本発明の他の実施の形態のペット用トイレを構成する受皿本体の斜視図である。
【図９】図８の一部を拡大して示す拡大図である。
【図１０】本発明の他の実施の形態に係るペット用トイレを構成する網状蓋体を裏面側から見た斜視図である。
【図１１】本発明の他の実施の形態に係るペット用トイレを構成する網状蓋体の一部拡大図である。
【図１２】本発明の他の実施の形態に係るペット用トイレの断面図である。
【符号の説明】
【００１９】
１，３１  ペット用トイレ、３，３３  受皿本体、５，３５  網状蓋体、７，３７  本体枠部、１９，４９  網状部、２１，５１  蓋体枠部、２７  隙間保持片。
【発明を実施するための最良の形態】
【００２０】
[実施の形態1]
図１は本発明の実施の形態1に係るペット用トイレの平面図、図２は正面図、図３は図１における矢視Ａ-Ａ断面図、図４は図３における丸で囲んだＢ部の拡大図、図５はペット用トイレを構成する受皿本体の斜視図、図６はペット用トイレを構成する網状蓋体を裏面側から見た斜視図である。
以下、図１〜図６に基づいて本実施の形態を説明する。【００２１】
本実施の形態に係るペット用トイレ１は全体が樹脂製であり、尿吸収シートを載置する受皿本体３と、受皿本体３の底部上方を覆うように着脱可能に設置される網状蓋体５とを備えてなるものである。以下、各構成を詳細に説明する。【００２２】
＜受皿本体＞
受皿本体３は、図５に示すように、４辺が内側に少し湾曲した矩形状をしており、外方に向かって下向きに傾斜する湾曲部を有する本体枠部７と底部９とから構成され、本体枠部７と底部９との間には溝部１１が形成されている。本体枠部７は、図３、図４に示されるように、辺に直交する断面が略逆Ｕ字状になっている。この本体枠部７は網状蓋体５を支持する支持部として機能する。本体枠部７の正面及び背面の下縁中央部には下方部を切り欠いて形成した凹部１３が形成されている。また、本体枠部７の正面部および背面部には４個の係止用凸部１５が形成されている。この係止用凸部１５は後述する網状蓋体５に設けられた係止孔２５と係止することにより網状蓋体５を受皿本体３にしっかりと固定する機能を有する。
溝部１１には上方に向けて尖った尖凸部１７が設けられている。【００２３】
＜網状蓋体＞
網状蓋体５は、図１、図２、図６に示すように、網状部１９と網状部１９の周囲に網状部１９と一体的に形成された蓋体枠部２１とを有し、全体形状が受皿本体３と同様に４辺が内側に少し湾曲する矩形状に形成されている。網状部１９は蓋体枠部２１の頂部から略水平に延出して形成され、網状部１９と蓋体枠部２１とは略面一になっている。蓋体枠部２１は辺に直交する断面が略逆Ｕ字状に形成され、図３、図４に示されるように、受皿本体３に設置した状態で受皿本体３の蓋体枠部２１の全体を覆うようになっている。
このように、蓋体枠部２１を断面略逆Ｕ字状にすることにより、蓋体枠部２１の剛性を高めている。そして、蓋体枠部２１と網状部１９を一体的に形成すると共に蓋体枠部２１の剛性を高くすることで、ペットが網状部１９に載った際に網状部１９が撓むのを可及的に防止している。【００２４】
また、蓋体枠部２１と網状部１９とが一体形成されているので、網状部１９と蓋体枠部２１との間に接合部がなく、接合部の隙間に尿が入り込んで悪臭の原因になることもない。
さらに、網状蓋体５を受皿本体３に設置した状態では、蓋体枠部２１が受皿本体３の蓋体枠部２１の全体を覆うようになっているので、図１に示されるように、ペット用トイレ１を上から見ると、網状蓋体５のみが見える状態になり、網状蓋体５と受皿本体３との接合部に尿が入り込むことがなく、掃除が楽になる。【００２５】
蓋体枠部２１の逆Ｕ字の内側片は下方に垂下する垂下片２１ａとなっている。
網状蓋体５を受皿本体３に設置した状態では、図４に示されるように、溝部１１の内側溝壁１１ａと垂下片２１ａとの間に隙間２３ができると共に前記垂下片２１ａの下端が受皿本体３の底部９の上面よりも下方に配置される。すなわち、垂下片２１ａが溝部１１に挿入される。
この垂下片２１ａは尿吸収シートを設置する際に内側溝壁１１ａと協働して尿吸収シートを四方から引っ張り、尿吸収シートに皺ができないように設置する機能を有する。詳細は後述する。
蓋体枠部２１の正面中央部および背面中央部には係止孔２５が設けられており、前述したように、係止孔２５には受皿本体３の係止用凸部１５が係合するようになっている。【００２６】
網状部１９は矩形状の孔が多数設けられて網状になっている。網を構成する線部の断面は、上面が凸の曲面になっている。これによって、ペットの尿が下方にスムーズに流れる。また、線部の下部は半円形の凹みが連続する波形になっており（図４参照）、尿が下方に滴れやすくなっている。
また、網状部１９の下面側には、網状蓋体５を支持するための隙間保持片２７が設けられている。隙間保持片２７は、図３に示されるように、網状部１９の中央部およびその両側に合計３個配置してもよいし、あるいは図６に示されるように中央部に２個配置してもよい。隙間保持片２７の配置およびその数は網状蓋体５の大きさによって適宜選択すればよい。隙間保持片２７は、図６に示されるように、半円板を十字に組み合わせた形状をしている。そして、網状蓋体５を受皿本体３に設置した状態で、隙間保持片２７の下端と底部９の上面との間には、未使用の尿吸収シートの厚さと同程度の隙間（２〜３ｍｍ）ができるようになっている。したがって、受皿本体３の底部９に尿吸収シートを載置したとき、すなわち使用状態にしたときに、網状蓋体５は、その四辺が本体枠部７に支持され、中央部が隙間保持片２７によって支持されて安定した状態になる。
また、隙間保持片２７は、その半円の円周部が尿吸収シートに当接するようになるので、尿吸収シートが膨張するのをできるだけ妨げない。【００２７】
以上のように構成された、ペット用トイレ１において尿吸収シートを設置する際の動作を説明する。受皿本体３の底面上に尿吸収シートをその周囲が底部９の外周に形成された溝部１１よりも外方に延出するように載置して、網状蓋体５を受皿本体３の上方から設置する。このとき、網状蓋体５の垂下片２１ａが尿吸収シートの外周部を溝部１１内へ押し込むように作用する。このため、尿吸収シートは外周部が尖凸部１７に沿った状態で溝内部に押し込まれるため、全周が外側に引っ張られることになり、受皿本体３の底部９に皺の少ない状態で設置される。【００２８】
また、受皿本体３の本体枠部７に形成した係止用凸部１５が網状蓋体５の蓋体枠部２１に形成した係止孔２５に係止し、網状蓋体５は受皿本体３にしっかりと固定される。以下、網状蓋体５を受皿本体３に装着する際の動作を詳細に説明することにより、網状蓋体５が受皿本体３にしっかりと固定される理由を述べる。
網状蓋体５を受皿本体３の上方に配置して、上方から下方に向かって移動することで網状蓋体５を受皿本体３に押し付ける。この押し下げ動作により、内側に湾曲している蓋体枠部２１が本体枠部７の係止用凸部１５によって外側に押し広げられ、さらに押し下げられて係止用凸部１５が蓋体枠部２１の係止孔２５に挿入されると、外側に押し広げられていた蓋体枠部２１がその弾性によって元の形状に戻り、網状蓋体５は受皿本体３にしっかりと固定されるのである。しっかりと固定されることにより、ペットが網状蓋体５に乗り降りする動作やペットのいたずらによって網状蓋体５が受皿本体３から外れることがない。
なお、係止用凸部１５の先端面は蓋体枠部２１の傾斜に沿うように傾斜しており、上記の押し下げ動作がスムーズにできると共に係止用凸部１５が係止孔２５に挿入後は抜けにくくなっている。
蓋体枠部２１と本体枠部７との固定に際して上記のような枠部同士を係止させる構造であることから、バックルのようなものを使用した場合のようにペットがかじって誤飲するような心配がない。【００２９】
受皿本体３に網状蓋体５を設置した状態では、受皿本体３の底面から網状蓋体５の網状部１９の下面までの距離Ｓ（図４参照）は、尿吸収時に尿吸収シート表面が前記網状部１９の上面に出ない寸法に設定されている。
このため、尿吸収シートがペットの尿を吸収して膨張するだけの余裕があり、多量の尿を吸収できる尿吸収シートの能力を十分に発揮させることができる。
なお、尿吸収時に尿吸収シート表面が前記網状部の上面に出ない寸法としては、尿吸収シートの種類にもよるが、５ｍｍ〜１５ｍｍ程度である。最も汎用的な寸法としては１０ｍｍ程度である。【００３０】
また、受皿本体３の最下部から網状蓋体５の上面までの高さＨ（図１、図４参照）が、小型犬又は幼犬が登ることができる高さに設定されている。このため、子犬であっても網状蓋体５へ抵抗なく登ることができる。なお、小型犬又は幼犬が登ることができる高さとしては、４５ｍｍ以内であることが望ましい。
また、網状蓋体５の蓋体枠部２１と網状部１９とが略面一になっているので、一旦網状蓋体５へ登った子犬などが不安を感じることがない。発明者の最近の研究によれば、一旦、蓋体枠部を乗り越えた後、窪んでいるような場合には子犬が不安を感じるということが分かっている。この点、本実施の形態では蓋体枠部２１と網状部１９とが略面一になっており、蓋体枠部を乗り越えた後に窪みがないので、子犬が不安を感じることがない。【００３１】
また、網状蓋体５の蓋体枠部２１を断面略逆Ｕ字状にしたことにより、剛性が高く、また隙間保持片２７を適宜設置しているので、網状蓋体５が大きく撓むことがなく、ペットが安心して尿をすることができる。【００３２】
尿吸収シートを交換する際には、受皿本体３の凹部１３に手指を入れて網状蓋体５の蓋体枠部２１を外側斜め上方に引き上げるようにして、受皿本体３の係止用凸部１５と係止孔２５の係止を解除して、網状蓋体５を上方に引き上げるようにする。【００３３】
以上のように、本実施の形態のペット用トイレにおいては、受皿本体３の底面から網状蓋体５の網部の下面までの距離Ｓを尿吸収時に尿吸収シートの表面が網状部１９の上面に出ない寸法（５〜１５ｍｍ、望ましくは１０ｍｍ以上）になるように設定したので、尿吸収シートが大きく膨張するだけの余裕があり、多量の尿を吸収できる尿吸収シートの能力を十分に発揮させることができる。
そして、網状蓋体５における網状部１９と蓋体枠部２１を一体的に形成し、蓋体枠部２１を断面略逆Ｕ字状にすることにより剛性を高めているので、多数の隙間保持片を設けなくても網状蓋体５を安定して受皿本体３に支持でき、多数の隙間保持片を設けなくてよいことから尿吸収シートの膨張を妨げる要素が少なく、この意味でも多量の尿を吸収する尿吸収シートに好適である。【００３４】
[実施の形態２]
図７は本発明の実施の形態２に係るペット用トイレの全体斜視図、図８は本実施の形態のペット用トイレを構成する受皿本体の斜視図、図９は図８の一部拡大図、図１０はペット用トイレを構成する網状蓋体を裏面側から見た斜視図、図１１は網状蓋体の一部拡大図、図１２は図７の中央断面図である。図７〜図１２において実施の形態１と同一または相当する部分には同一の符号を付して説明を省略する。【００３５】
本実施の形態に係るペット用トイレ３１は、受皿本体３３の本体枠部３７における側辺の一部および背辺が上方に立ち上がる壁部４４となっている点が実施の形態１と相違する。この相違点に基づき、受皿本体３３及び網状蓋体３５は以下のような実施の形態１とは異なる構成を備えている。【００３６】
＜受皿本体＞
受皿本体３３は、図８に示すように、平面視で前辺が内側に少し湾曲する略矩形状をしている。そして、実施の形態１と同様に、受皿本体３３は本体枠部３７と底部３９とから構成され、本体枠部３７と底部３９との間には溝部４１が形成されている。
前述したように、受皿本体３３の本体枠部３７における側辺の一部および背辺が上方に立ち上がって壁部４４を形成している。このような壁部４４があることで、ペット用トイレ３１を広い部屋に置いた場合であってもペットがペット用トイレ３１を認識しやすくなる。【００３７】
受皿本体３３の本体枠部３７における側辺および背辺の内周部には網状蓋体３５を支持するための支持部４２が形成されている。また、受皿本体３３の背面の壁部４４における中央下部の支持部４２のすぐ上には、後述する蓋体枠部５１の背辺に設けた係止部５１ｂ（図１２参照）に係止する係止部４４ａが設けられている。
さらに、受皿本体３３の本体枠部３７における前面に４個の係止用凸部４５が形成されている。そして、両側の係止用凸部４５の側方には細溝４６が形成されている。【００３８】
＜網状蓋体＞
網状蓋体３５は、図７、図１０に示すように、網状部４９と網状部４９の周囲に網状部４９と一体的に形成された蓋体枠部５１を有し、全体形状が受皿本体３３と同様の矩形状に形成されている。
蓋体枠部５１は、断面が略コ字状になっており、実施の形態１と同様に、剛性が高くなっている。また、コ字状の蓋体枠部５１を構成する内側の一片が、他方の片よりも下方に延びている。この、下方に延びた片の下端には山部５１ａが形成されており、この山部５１ａが、尿吸収シートを設置する際の押えとして機能する。【００３９】
網状蓋体３５の前辺には前方向に突出してさらに斜め下方向に延びる略矩形状の係止片５２が形成されている。係止片５２には、受皿本体３３に設けられた係止用凸部４５に係合する係止孔５５が設けられている。また、係止片５２の両側には図１０、図１１に示すように側壁５４が設けられている。側壁５４を設けることで、係止片５２の剛性を高めている。そして、網状蓋体３５を受皿本体３３に載置した際には、側壁５４が受皿本体３３に形成した細溝４６に挿入される。【００４０】
以上のように構成された、ペット用トイレ３１においては、蓋体枠部５１の係止部５１ｂを壁部４４の係止部４４ａに係止させると共に網状蓋体３５の蓋体枠部５１を受皿本体３３の支持部４２に載置する。そして、図１０に示すように、網状蓋体３５の係止片５２の係止孔５５を受皿本体３３の係止用凸部４５に係止させることで、網状蓋体３５を受皿本体３３にしっかりと固定する。このように網状蓋体３５は前部が係止片５２と係止用凸部４５で固定され、背部が係止部５１ｂと係止部４４ａで固定される。
網状蓋体３５を受皿本体３３に設置した状態では、図１２に示すように、網状枠体の下面と受皿本体３３の底面との隙間Ｓは、尿吸収時に尿吸収シートの表面が網状部１９の上面に出ない寸法（５〜１５ｍｍ、望ましくは１０ｍｍ以上）に設定されている。したがって、実施の形態１と同様に、受皿本体３３の底面に載置される尿吸収シートが十分に膨張することができ、多量の尿を吸収するタイプの尿吸収シートの能力を十分に発揮させることができる。【００４１】
網状蓋体３５を取り外す際には、網状蓋体３５の係止片５２を斜め上方に引き上げるようにして係止孔５５と係止用凸部４５の係止を外すようにすればよい。もっとも、係止片５２の両側には側壁５４が設けられており、剛性を高められているので、ペットが網状蓋体３５に乗り降りする動作やペットのいたずらによっては外れないようになっている。【００４２】
なお、上記の実施の形態１、２においては、網状蓋体５、３５を受皿本体に係止する手段として、受皿本体３、３３の本体枠部７、３７に係止用凸部１５、４５を設け、網状蓋体５、３５の蓋体枠部２１、５１に係止用凸部１５、４５に係止する係止孔２５、５５を設けるようにしたが、受皿本体３、３３の本体枠部７、３７に係止孔を設け、網状蓋体５、３５の蓋体枠部２１、５１に前記係止孔に係止する係止用凸部を設けるようにしてもよい。このようにすれば、網状蓋体５、３５の蓋体枠部２１、５１に係止孔がなく、尿が入り込むこともなく、さらに清潔感を増すことができる。
【図１】
2007094029.tif 000003
【図２】
2007094029.tif 000004
【図３】
2007094029.tif 000005
【図４】
2007094029.tif 000006
【図５】
2007094029.tif 000007
【図６】
2007094029.tif 000008
【図７】
2007094029.tif 000009
【図８】
2007094029.tif 000010
【図９】
2007094029.tif 000011
【図１０】
2007094029.tif 000012
【図１１】
2007094029.tif 000013
【図１２】
2007094029.tif 000014
【国際調査報告】
2007094029.tif 000015
2007094029.tif 000016
2007094029.tif 000017
2007094029.tif 000018